(57)【要約】【課題】製品の製造に対する環境影響評価に好適な製品の情報管理技術を提供する。【解決手段】環境影響評価装置は、部品情報ＤＢ２１に登録された製品および製品を構成する各部品の部品情報によ、製品構成を木構造で管理する。そして、工程情報ＤＢ２２に登録されている製品の製造に関する各工程の工程情報は、工程間の結合関係で管理するのではなく、その工程での生産品の部品情報に対応付けて管理する。このため、ある工程を変更する場合に、当該工程の上位に位置する工程および下位に位置する工程に対する修正等を必要とすることなく、当該工程の変更を行うことができる。【選択図】図１
2004265012.tif 000002
【特許請求の範囲】
【請求項１】
製品の製造に対する環境影響評価を行う環境影響評価装置であって、
前記製品および前記製品を構成する各部品の情報である部品情報を記憶する部品情報記憶手段と、前記製品が完成するまでの各工程の情報である工程情報を記憶する工程情報記憶手段と、前記製品の製造に対する環境影響評価を行う環境影響評価手段と、を有し、
前記部品情報は、対象品である製品または部品の子部品または原材料の識別情報および員数または重量の情報を有しており、
前記工程情報は、対象工程での生産品である部品または製品の識別情報、および、前記対象工程の環境影響評価値を算出するための原単位を有しており、
前記環境影響評価手段は、前記工程情報記憶手段から工程情報を読み出すと共に、当該工程情報に含まれている識別情報により特定される生産品の部品情報を前記部品情報記憶手段から読み出し、前記工程情報に含まれている原単位と前記部品情報に含まれている子部品または原材料の員数または重量の情報とを積和演算して、前記工程情報により特定される工程の環境影響評価値を算出すること
を特徴とする環境影響評価装置。
【請求項２】
請求項１記載の環境影響評価装置であって、
予め用意された複数の工程毎に、対象工程への入力部品または入力材料の情報および前記対象工程の環境影響評価値を算出するための原単位を有する雛形工程情報を記憶する雛形工程情報記憶手段と、操作者より前記工程情報記憶手段に記憶する工程情報の入力を受け付ける工程情報受付手段と、をさらに有し、
前記工程情報受付手段は、前記部品情報記憶手段に記憶されている各部品情報により特定される製品および各部品の中から対象工程での生産品の指定を受け付けると共に、前記雛形工程情報記憶手段に記憶されている各雛形工程情報により特定される工程の中から対象工程の指定を受け付け、指定された生産品の部品情報および対象工程の雛形工程情報を用いて、工程情報を作成すること
を特徴とする環境影響評価装置。
【請求項３】
請求項１記載の環境影響評価装置であって、前記環境評価手段は、前記工程の環境影響評価値に基づいて、当該工程の環境影響評価結果を出力すること
を特徴とする環境影響評価装置。
【請求項４】
請求項１記載の環境影響評価装置であって、
前記環境影響評価手段は、前記製品が完成するまでの各工程に対して算出した環境影響評価値の合計に基づいて、前記製品の製造に対する環境影響評価結果を出力すること
を特徴とする環境影響評価装置。
【請求項５】
コンピュータシステムを用いて、製品の製造に対する環境影響評価を行う環境影響評価方法であって、
前記コンピュータシステムの演算装置は、前記製品および前記製品を構成する各部品の情報である部品情報を取り込んで前記コンピュータシステムの記憶装置に記憶する部品情報記憶ステップと、前記製品が完成するまでの各工程の情報である工程情報を取り込んで前記記憶装置に記憶する工程情報記憶ステップと、前記製品の製造に対する環境影響評価を行う環境影響評価ステップと、を行い、
前記部品情報は、対象品である製品または部品の子部品または原材料の識別情報および員数または重量の情報を有しており、
前記工程情報は、対象工程での生産品である部品または製品の識別情報、および、前記対象工程の環境影響評価値を算出するための原単位を有しており、
前記環境影響評価ステップは、前記記憶装置から工程情報を読み出すと共に、当該工程情報に含まれている識別情報により特定される生産品の部品情報を前記記憶装置から読み出し、前記工程情報に含まれている原単位と前記部品情報に含まれている子部品または原材料の員数または重量の情報とを積和演算して、前記工程情報により特定される工程の環境影響評価値を算出すること
を特徴とする環境影響評価方法。
【発明の詳細な説明】
【０００１】
【発明の属する技術分野】
本発明は、製品の製造に対する環境影響を評価する技術に関し、特に、環境影響評価に好適な製品の情報管理技術に関する。
【０００２】
【従来の技術】
ある製品の製造から処分にいたる総合環境負荷を定量的に評価するＬＣＡ（ライフサイクルアセスメント）とよばれる手法が研究されている。例えば、特許文献１には、製品のライフサイクルを単位工程に分割し、単位工程間の結合関係を、対象製品を根とし対象製品の製造に関わる単位工程を節とした木構造と、対象製品を根とし対象製品の処分に関わる単位工程を節とした木構造との結合として定義することで、製品の環境負荷を複雑な製品でも効率的に評価することができる技術が開示されている。
【０００３】
【特許文献１】
特開７−３１１７６０号公報
【０００４】
【発明が解決しようとする課題】
上述したように、特許文献１では、製品の製造に関わる単位工程を節とした木構造により、製品の製造に関する情報管理を行っている。このため、製品の製造に関わるある単位工程を変更するために、当該単位工程を木構造から削除すると、当該単位工程より上位の各単位工程の木構造と、当該単位工程より下位の各単位工程の木構造とが分断される。データ構造によっては、下位の各単位工程の木構造のデータが失われてしまう。したがって、製品の製造に関わるある単位工程を変更する場合、変更後の単位工程、当該変更後の単位工程の上位に位置する単位工程、および、当該変更後の単位工程の下位に位置する単位工程のそれぞれについて、結合関係を再定義する必要がある。当該変更後の単位工程の下位に位置する各単位工程の木構造のデータが失われている場合は、当該各単位工程を再度記述しなければならない。
【０００５】
また、特許文献１では、製品の製造から処分にいたる各単位工程の環境負荷値を総和し、その総和結果に基づいて製品の製造から処分にいたる総合環境負荷を定量的に評価している。しかし、製品の製造に関する単位工程毎に環境影響を評価することについて何ら考慮されていない。
【０００６】
本発明は上記事情に鑑みてなされたものであり、本発明の目的は、製品の製造に対する環境影響評価に好適な製品の情報管理技術を提供することにある。具体的には、製造に関する各工程の修正を容易に行えるようにすることにある。また、本発明の他の目的は、製品の製造に関する単位工程毎に環境影響を評価できるようにすることにある。
【０００７】
【課題を解決するための手段】
上記課題を解決するために、本発明の環境影響評価装置は、製品および前記製品を構成する各部品の情報である部品情報を記憶する部品情報記憶手段と、前記製品が完成するまでの各工程の情報である工程情報を記憶する工程情報記憶手段と、前記製品の製造に対する環境影響評価を行う環境影響評価手段と、を有する。前記部品情報は、対象品である製品または部品の子部品または原材料の識別情報および員数または重量の情報を有する。前記工程情報は、対象工程での生産品である部品または製品の識別情報、および、前記対象工程の環境影響評価値を算出するための原単位を有する。そして、前記環境影響評価手段は、前記工程情報記憶手段から工程情報を読み出すと共に、当該工程情報に含まれている識別情報により特定される生産品の部品情報を前記部品情報記憶手段から読み出し、前記工程情報に含まれている原単位と前記部品情報に含まれている子部品または原材料の員数または重量の情報とを積和演算して、前記工程情報により特定される工程の環境影響評価値を算出する。
【０００８】
本発明では、製品および前記製品を構成する各部品の親子関係を管理することにより、部品情報を木構造で管理している。そして、製品の製造に関する各工程の工程情報は、工程間の結合関係で管理するのではなく、その工程での生産品の部品情報に対応付けて管理している。このため、ある工程を変更する場合に、当該工程の上位に位置する工程および下位に位置する工程に対する修正等を必要とすることなく、当該工程の変更を行うことができる。したがって、本発明によれば、環境影響評価に好適な製品の情報管理を行うことができる。
【０００９】
なお、本発明において、前記環境評価手段は、前記工程の環境影響評価値に基づいて、当該工程の環境影響評価結果を出力するようにしてもよい。このようにすることで、操作者は、製品の製造に関する工程毎に、環境影響の評価結果を得ることができる。
【００１０】
【発明の実施の形態】
以下に、本発明の実施の形態について説明する。
【００１１】
図１は、本発明の一実施形態が適用された環境影響評価装置の概略図である。図示するように、本実施形態の環境影響評価装置は、入出力部１と、記憶部２と、演算部３と、を有する。
【００１２】
入出力部１は、記憶部２に記憶するデータの入出力、ユーザよりの指示受付、および、ユーザへの情報表示を行う。
【００１３】
記憶部２は、部品情報ＤＢ（データベース）２１と、工程情報ＤＢ２２と、雛形工程情報ＤＢ２３と、環境影響評価情報ＤＢ２４と、を有する。
【００１４】
部品情報ＤＢ２１には、製品および製品を構成する各部品の情報である部品情報が記憶される。図２は、部品情報ＤＢ２１の登録内容例を説明するための図である。図示するように、対象品（部品または製品）の識別情報を登録するためのフィールド２１１と、対象品の子部品または原材料の識別情報を登録するためのフィールド２１２と、子部品の員数または原材料の重量を登録するためのフィールド２１３と、対象品の諸情報（性状、特性等）を登録するためのフィールド２１４と、を備えて１つのレコードが構成される。図２に示す例では、同じ対象部品であっても子部品が異なる場合（対象品が複数の子部品で構成されている場合）は、子部品毎に異なるレコードで管理している。
【００１５】
工程情報ＤＢ２２には、製品が完成するまでの各工程の情報である工程情報が記憶される。図３は、工程情報ＤＢ２２の登録内容例を説明するための図である。図示するように、生産品の識別情報を登録するためのフィールド２２１と、この生産品を生産する対象工程の識別情報を登録するためのフィールド２２２と、対象工程における環境影響評価値を算出するための原単位のデータ格納先を登録するためのフィールド２２３と、原単位への入力値の参照先を登録するためのフィールド２２４と、対象工程の分類を登録するためのフィールド２２５と、を備えて１つのレコードが構成される。
【００１６】
ここで、原単位について説明する。原単位は、対象工程における環境影響評価値を算出するための単位（あるいは関数）である。例えば、対象工程が鉄切削である場合、当該工程において環境に影響を与える項目としては、当該工程で排出されるＣＯ２、ＮｏＸ、ＳＯＸ、鉄屑くずなどが挙げられる。また、これらの項目各々の排出量は、当該工程に投入される原材料の投入量や当該工程で生産される部品の生産量によって定まる。原単位は、入力値の種類、排出量を算出する各項目の種類、および、入力値から各項目の排出量を算出するための関数を定義している。なお、原単位への入力値は、フィールド２２４に登録されている参照先から入手する。例えば、参照先が生産品ならば、当該工程で生産される部品等の部品情報から入力値を入手する。参照先が子部品ならば、当該工程に投入される部品等の部品情報から入力値を入手する。参照先が生産品および子部品の両方ならば、両方の部品情報から入力値を入手する。
【００１７】
雛形工程情報ＤＢ２３には、予め用意された複数の工程各々の情報である雛形工程情報が記憶される。図４は、雛形工程情報ＤＢ２３の登録内容例を説明するための図である。図示するように、対象の雛形工程の利用分野である分類を登録するためのフィールド２３１と、対象の雛形工程への投入品の識別情報を登録するためのフィールド２３２と、対象の雛形工程の識別情報を登録するためのフィールド２３３と、対象の雛形工程の原単位を決定するのに用いる中間原単位のデータ格納先および変換係数を登録するためのフィールド２３４、２３５と、対象の雛形工程の原単位への入力値の参照先を登録するためのフィールド２３６と、を備えて１つのレコードが構成される。
【００１８】
ここで、中間原単位について説明する。中間原単位は、原単位により算出される項目をユーザが理解しやすい項目で表現したものである。例えば、鉄の切削工程では、上述したように、原単位により算出される項目として、ＣＯ２、ＮｏＸ、ＳＯＸ、鉄屑くずなどが挙げられる。しかし、一般ユーザには、原単位への入力値と原単位で算出される各項目との関係が複雑でわかり難いことが多い。このため、原単位を実際の工程に合わせて修正することが困難である。そこで、本実施形態では、入力値との関係が原単位よりも理解しやすい項目で表現した中間原単位を用意している。例えば、鉄の切削工程では、中間原単位により算出される項目を電力量、ガス、鉄くずで表すことにより、入力値（原材料の投入重量）と中間原単位で算出される各項目との関係をユーザが理解しやすいようにしている。これにより、中間原単位を実際の工程に合わせて修正し易くしている。
【００１９】
なお、変換係数は、中間原単位を原単位に変換するための係数である。例えば、鉄の切削工程において、電力量の中間原単位をａ（ｋｗｈ／ｋｇ）、ガスの中間原単位をｂ（ｍ３／ｋｇ）とし、これらの中間原単位をＣＯ２の原単位に変換するための変換係数をｑ、ｒとした場合、ＣＯ２の原単位は、ａｑ＋ｂｒ（ｍ３／ｋｇ）で表すことができる。
【００２０】
環境影響評価情報ＤＢ２４には、製品が完成するまでの各工程における環境影響評価情報が記憶される。図５は、環境影響評価情報ＤＢ２４の登録内容例を説明するための図である。図示するように、対象工程の識別情報を登録するためのフィールド２４１と、対象工程での環境影響評価値を登録するためのフィールド２４２と、対象工程での環境影響の評価結果を登録するためのフィールド２４３と、を備えて１つのレコードが構成される。ここで、環境影響の評価結果は、例えば、環境影響評価値に含まれる各項目の算出値に所定の重み付けして加算することにより定量化される。
【００２１】
図１に戻って説明を続ける。演算部３は、部品情報取込部３１と、工程情報受付部３２と、構成表作成部３３と、環境影響評価処理部３４と、を有する。
【００２２】
部品情報取込部３１は、入出力部１を介して、ＣＤ−ＲＯＭ等の記憶媒体あるいはＬＡＮなどの通信媒体から部品情報を入手する。そして、入手した部品情報を、記憶部２の部品情報ＤＢ２１に登録する。
【００２３】
工程情報受付部３２は、ＧＵＩ（Ｇｒａｐｈｉｃａｌ  Ｕｓｅｒ  Ｉｎｔｅｒｆａｃｅ）を利用してユーザより工程情報の入力を受け付ける。すなわち、記憶部２の部品情報ＤＢ２１に記憶されている部品情報および雛形工程情報ＤＢ２３に記憶されている雛形工程情報を用いて、ユーザから工程情報の指定・編集等を受け付ける工程情報受付画面を生成し、入出力部１を介してユーザに提示する。そして、この工程情報受付画面を介してユーザより工程情報を受け付け、これを記憶部２の工程情報ＤＢ２２に登録する。
【００２４】
構成表作成部３３は、記憶部２の部品情報ＤＢ２１に登録されている部品情報および記憶部２の工程情報ＤＢ２２に登録されている工程情報を用いて、製品の構成ツリー表を作成し、入出力部１を介してユーザに提示する。
【００２５】
そして、環境影響評価処理部３４は、記憶部２の部品情報ＤＢ２１に登録されている部品情報および記憶部２の工程情報ＤＢ２２に登録されている工程情報を用いて、工程単位に環境影響の評価を行い、環境影響評価情報を記憶部２の環境影響評価情報ＤＢ２４に登録する。
【００２６】
上記構成の環境影響評価装置は、例えば図６に示すような、ＣＰＵ９０１と、メモリ９０２と、ＨＤＤ等の外部記憶装置９０３と、ＣＤ−ＲＯＭやＤＶＤ−ＲＯＭやＩＣカードなどの記憶媒体からデータを読み取る読取装置９０４と、キーボードやマウスなどの入力装置９０６と、モニタやプリンタなどの出力装置９０７と、ネットワークなどに接続するための通信装置９０８と、これらの各装置を接続するバス９０９と、を備えた一般的なコンピュータシステムにおいて、ＣＰＵ９０１がメモリ９０２上にロードされたプログラムを実行することで実現できる。このプログラムは、読取装置９０４を介して記憶媒体から、あるいは、通信装置９０８を介してネットワークから、外部記憶装置９０３にダウンロードされ、それから、メモリ９０２上にロードされてＣＰＵ９０１により実行されるようにしてもよい。あるいは、外部記憶装置９０３を経由せずに、メモリ９０２上に直接ロードされ、ＣＰＵ９０１により実行されるようにしてもよい。なお、この場合において、記憶部２には、メモリ９０２や外部記憶装置９０３が利用される。また、入出力部１には、読取装置９０４や入力装置９０６や出力装置９０７や通信装置９０８が該当する。
【００２７】
次に、上記構成の環境影響評価装置の動作について説明する。
【００２８】
図７は、本実施形態の環境影響評価装置の動作を説明するための図である。
【００２９】
部品情報取込部３１は、入出力部１を介してユーザより、製品および製品を構成する各部品の部品情報の読込指示を受け付けると（Ｓ３００１でＹｅｓ）、入出力部１を介してユーザが指定した読込先（ＣＤ−ＲＯＭ等の記憶媒体やネットワーク上のサーバ）からこれらの部品情報を読み込む。そして、読み込んだ部品情報を記憶部２の部品情報ＤＢ２１に記憶する（Ｓ３００２）。
【００３０】
工程情報受付部３２は、入出力部１を介してユーザより、製品が完成するまでの各工程の工程情報の登録指示を受け付けると（Ｓ３００３でＹｅｓ）、部品情報ＤＢ２１にアクセスし、部品情報ＤＢ２１に製品および製品を構成する各部品の部品情報が登録されているか否かを調べる（Ｓ３００４）。登録されている場合は、後述する工程情報受付処理を行って工程情報を作成し、作成した工程情報を記憶部２の工程情報ＤＢ２２に記憶する（Ｓ３００５）。一方、登録されていない場合は、部品情報の読込処理を行う必要がある旨のメッセージを入出力部１に出力して、ユーザに提示する（Ｓ３００６）。
【００３１】
構成表作成部３３は、入出力部１を介してユーザより、製品の構成表の表示指示を受け付けると（Ｓ３００７でＹｅｓ）、部品情報ＤＢ２１および工程情報ＤＢ２２にアクセスし、部品情報ＤＢ２１に製品および製品を構成する各部品の部品情報が登録され、且つ、工程情報ＤＢ２２に製品が完成するまでの各工程の工程情報が登録されているか否かを調べる（Ｓ３００８）。登録されていない場合は、部品情報の読込処理および工程情報受付処理を行う必要がある旨のメッセージを入出力部１に出力して、ユーザに提示する（Ｓ３０１０）。
【００３２】
一方、登録されている場合は、製品の構成表を作成する。そして、作成した構成表を入出力部１を介して表示装置に表示し、ユーザに提示する（Ｓ３００９）。具体的には、部品情報ＤＢ２１に登録されている部品情報のフィールド２１１により特定される対象品各々について、部品情報のフィールド２１２により特定される子部品／原材料と、親子関係を示す親子線で連結することで、製品の構成部品の木構造表を作成する。また、工程情報ＤＢ２２に登録されている工程情報のフィールド２２１により特定される対象工程各々について、工程情報のフィールド２２２により特定される生産品と、工程と生産品との関係を示す生産線で連結することで、製品の構成品と各工程とを対応付ける。さらに、工程情報ＤＢ２２に登録されている工程情報のフィールド２２１により特定される対象工程各々について、工程情報のフィールド２２４により特定される参照先（生産品および／または投入品）の具体的な部品情報を、工程情報のフィールド２２２により特定される生産品の部品情報を用いて特定する。そして、対象工程各々について、参照先と、環境影響評価計算での入力値の参照先を示す参照線で連結することで、各工程と入力値の参照先とを対応付ける。
【００３３】
図８は、入出力部１を介して表示装置に表示される構成表の一例を示した図である。ここでは、図２および図３に示す部品情報および工程情報に従って作成される構成表を示している。図８において、符号５１は製品、部品または材料である構成品を表している。構成品５１間は太い直線あるいはカギ線で表された親子線５３で連結されている。親子線５３は子から親の方向に矢印が向いている。また、符号５２は工程を表している。工程５２は、細い直線あるいはカギ線で表された生産線５４で、その工程での生産品である構成品５１に連結されている。また、工程５１は、曲線で表された参照線５５により、その工程での環境影響評価値の計算に用いる入力値の参照先である構成品５１と連結されている。このようにすることで、ユーザは、製品構成の概要を簡単に認識することができる。また、工程各々について、当該工程での環境影響評価値の算出に必要不可欠な構成品５１の情報を、簡単に認識することが可能となる。
【００３４】
環境影響評価処理部３４は、入出力部１を介してユーザより、環境影響評価指示を受け付けると（Ｓ３０１１でＹｅｓ）、部品情報ＤＢ２１および工程情報ＤＢ２２にアクセスし、部品情報ＤＢ２１に製品および製品を構成する各部品の部品情報が登録され、且つ、工程情報ＤＢ２２に製品が完成するまでの各工程の工程情報が登録されているか否かを調べる（Ｓ３０１２）。登録されている場合は、後述する環境影響評価処理を行って環境影響評価情報を作成し、記憶部２の環境影響評価情報ＤＢ２４に登録すると共に、入出力部１を介してユーザに提示する（Ｓ３０１３）。一方、登録されていない場合は、部品情報の読込処理および工程情報受付処理を行う必要がある旨のメッセージを入出力部１に出力して、ユーザに提示する（Ｓ３０１４）。
【００３５】
図９は、図７のＳ３００５での処理（工程情報受付処理）のフローを示す図である。まず、工程情報受付部３２は、記憶部２の部品情報ＤＢ２１に記憶されている部品情報に基づいて、工程情報を登録する工程の生産品を選択させるための部品構成表（部品展開表）を作成し、入出力部１を介して表示装置に表示する（Ｓ４００１）。そして、入出力部１を介してユーザより、部品構成表中のいずれかの部品または製品が生産品として選択されるのを待つ（Ｓ４００２）。
【００３６】
次に、工程情報受付部３２は、選択された部品または製品を対象品とする部品情報のレコードを、部品情報ＤＢ２１から読み出す。そして、読み出したレコードに従い、入出力部１を介して表示装置に、選択された部品または製品の詳細情報を表示する。このとき、工程情報受付部３２は、選択された部品または製品を生産品とする工程情報のレコードが、記憶部２の工程情報ＤＢ２２に記憶されているか否かを調べる。記憶されている場合は、選択された部品または製品を生産品とする工程の名称をこのレコードの対象工程として、選択された部品または製品の詳細情報と共に表示する。含まれていない場合は、選択された部品または製品を生産品とする工程の名称を空欄（情報なし）として、選択された部品または製品の詳細情報と共に表示する（Ｓ４００３）。そして、例えば入出力部１を介してユーザより工程の名称が選択され、詳細情報が表示されている部品または製品を生産品とする工程の登録・変更指示が入力されるのを待つ（Ｓ４００４）。
【００３７】
次に、工程情報受付部３２は、工程情報の新規登録あるいは登録済みの工程情報を変更するための工程情報登録・変更受付画面を生成し、入出力部１を介して表示装置に表示する（Ｓ４００５）。なお、工程情報登録・変更受付画面は、工程情報のベースとする雛形工程情報を選択するための選択欄と、選択欄で選択された雛形工程情報を編集するための編集欄と、を備えるとよい。なお、工程情報が登録済みの場合は、この編集欄に登録済みの工程情報を表示して、当該工程情報の編集を受け付けるようにするとよい。
【００３８】
さて、工程情報受付部３２は、工程情報登録・変更受付画面を介して工程情報が新規登録あるいは変更されたならば、この工程情報のレコードを工程情報ＤＢ２２に追加あるいは更新する（Ｓ４００６）。その後、入出力部１を介してユーザより終了指示を受け付けていないならば、Ｓ４００２に戻って処理を続ける。
【００３９】
図１０は、入出力部１を介して表示装置に表示される工程情報受付画面の一例を示した図である。符号５１２は、工程情報を登録する工程の生産品を選択させるための部品構成表（部品展開表）の表示領域を示している。図１０において、領域５１２に表示されている部品構成表は、図２に示す部品情報に基づいて作成されたものである。部品構成表の各対象品には、選択するためのチェックボックス５１２ａが設けられている。
【００４０】
符号５１３は、表示領域５１２においてチェックボックス５１２ａにチェックが入れられた対象品の詳細情報の表示領域である。対象品の詳細情報には、部品情報のレコードのフィールド２１１〜２１４に登録されている情報の他に、フィールド２１１に登録されている対象品を生産品とする工程の名称５１３ａが含まれる。フィールド２１１に登録されている対象品を生産品とする工程情報のレコードが工程情報ＤＢ２２に登録されている場合、このレコードのフィールド２２１に登録されている対象工程が工程の名称５１３ａとして表示される。そのようなレコードがない場合、空欄の状態で工程の名称５１３ａが表示される。
【００４１】
符号５１４は、工程の名称５１３ａがクリック等により選択されることで表示される工程情報登録・変更受付画面である。工程情報登録・変更受付画面５１４は、分類を選択するためのリストボックス５１４ａと、対象工程を選択するためのリストボックス５１４ｂと、雛形工程情報の詳細を表示して修正を受け付けるための表示領域５１４ｃと、登録ボタン５１４ｅと、を有する。
【００４２】
リストボックス５１４ａには、雛形工程情報ＤＢ２３に記憶されている雛形工程情報の各レコードのフィールド２３２に登録されている分類がリスト表示される。ユーザは、カーソル等を用いて所望の分類を選択することができる。なお、工程の名称５１３ａとして、工程情報ＤＢ２２に登録されている工程情報のレコードの対象工程が表示されている場合、初期状態として、当該レコードのフィールド２２５に登録されている分類がリストボックス５１４ａに表示される。
【００４３】
リストボックス５１４ｂには、雛形工程情報ＤＢ２３に記憶されている雛形工程情報の各レコードのうち、リストボックス５１４ａで選択された分類がフィールド２３２に登録されているレコード各々の、フィールド２３１に登録されている雛形工程がリスト表示される。ユーザは、カーソル等を用いて所望の雛形工程を選択することができる。なお、工程の名称５１３ａとして、工程情報ＤＢ２２に登録されている工程情報のレコードの対象工程が表示されている場合、初期状態として、当該レコードのフィールド２２１に登録されている対象工程がリストボックス５１４ｂに表示される。
【００４４】
表示領域５１４ｃには、リストボックス５１４ａ、５１４ｂで選択された分類、工程を持つ雛形工程情報のレコードが表示される。なお、領域５１４ｄには、レコードのフィールド２３４に登録されているデータ格納先より読み出した中間原単位が表示され、その内容はユーザが編集可能である。なお、工程の名称５１３ａとして、工程情報ＤＢ２２に登録されている工程情報のレコードの対象工程が表示されている場合、初期状態として、当該レコードのフィールド２２３に登録されているデータ格納先より読み出した原単位が領域５１４ｄに表示される。
【００４５】
登録ボタン５１４ｅが押されると、工程情報の内容が表示領域５１４ｃに登録されている内容（領域５１４ｄに中間原単位が表示されている場合、原単位は、この中間原単位に雛形工程情報のレコードのフィールド２３５に登録されている変換係数を作用することで求めることができる）に確定される。そして、この工程情報のレコードが追加・更新される。
【００４６】
図１１は、図７のＳ３０１３での処理（環境影響評価処理）のフローを示す図である。まず、環境影響評価処理部３４は、ユーザより任意の工程に対して環境影響の評価を行うように指示されている場合（Ｓ５００１でＹｅｓ）、指定された工程の工程情報のレコードを工程情報ＤＢ２２から読み出す（Ｓ５００２）。
【００４７】
次に、環境影響評価処理部３４は、読み出した工程情報のレコードのフィールド２２２に登録されている生産品の部品情報のレコードを、部品情報ＤＢ２１から読み出す（Ｓ５００３）。
【００４８】
それから、環境影響評価処理部３４は、工程情報のレコードのフィールド２２３に登録されているデータ格納先より読み出した原単位に、このレコードのフィールド２２４に登録されている参照先と読み出した部品情報のレコードとにより特定される入力値を代入して、指定された工程における環境影響評価値を算出する（Ｓ５００４）。具体的には、原単位と入力値とを積和演算して環境影響評価値を算出する。例えば、前記参照先が生産品の場合は、部品情報のレコードのフィールド２１４に登録されている対象品の数量／重量の情報と原単位とを積和演算して環境影響評価値を算出する。また、前記参照先が投入品の場合は、部品情報のレコードのフィールド２１２に登録されている子部品／原材料の員数／重量の情報と原単位とを積和演算して環境影響評価値を算出する。
【００４９】
次に、環境影響評価処理部３４は、原単位により算出された各項目の環境影響評価値に対して所定の重み付けを行って、各項目の環境影響評価値を総和し、この総和を指定された工程における環境影響評価結果とする（Ｓ５００５）。
【００５０】
そして、原単位により算出された各項目の環境影響評価値、環境影響評価結果に基づいて、指定された工程の環境影響評価情報を作成し、環境影響評価情報ＤＢ２４に登録する。また、作成した環境影響評価情報の内容を入出力部１から出力する（Ｓ５００６）。
【００５１】
一方、ユーザより製品の製造に係る全工程に対して環境影響の評価を行うように指示されている場合（Ｓ５００１でＮｏ）、環境影響評価処理部３４は、製品の製造に係る工程各々について、上述の環境影響評価情報を作成する処理を行う（Ｓ５００７〜Ｓ５００９）。そして、各工程の環境影響評価結果の総和を、全工程に対する環境影響評価結果として入出力部１から出力する（Ｓ５０１０）。
【００５２】
以上、本発明の一実施形態について説明した。
【００５３】
本実施形態では、部品情報ＤＢ２１に登録された製品および製品を構成する各部品の部品情報により、製品構成を木構造で管理している。そして、工程情報ＤＢ２２に登録されている製品の製造に関する各工程の工程情報は、工程間の結合関係で管理されるのではなく、その工程での生産品の部品情報に対応付けて管理されている。このため、ある工程を変更する場合に、当該工程の上位に位置する工程および下位に位置する工程に対する修正等を必要とすることなく、当該工程の変更を行うことができる。したがって、環境影響評価に好適な製品の情報管理を行うことができる。
【００５４】
また、本実施形態において、環境影響評価処理部３４は、ユーザより指定された工程の環境影響評価値を算出し、当該算出値に基づいて当該工程の環境影響評価結果を出力する。したがって、ユーザは、製品の製造に関する工程毎に、環境影響の評価結果を得ることができる。
【００５５】
また、本実施形態では、予め用意された複数の工程毎に、工程への入力部品または入力材料の情報と、工程の環境影響評価値を算出するための関数（原単位）とを有する雛形工程情報を記憶する雛形工程情報ＤＢ２３を設けている。そして、工程情報受付部３２は、工程情報受付画面を介して、部品情報ＤＢ２１に記憶されている各部品情報により特定される製品および各部品の中から対象工程での生産品の指定を受け付けると共に、雛形工程情報ＤＢ２３に記憶されている各雛形工程情報により特定される工程の中から対象工程の指定を受け付け、指定された生産品の部品情報および対象工程の雛形工程情報を用いて、工程情報を作成する。このようにすることで、ユーザは、簡単な操作で工程情報の新規登録・変更等を行うことが可能となる。
【００５６】
なお、本発明は上記の実施形態に限定されるものではなく、その要旨の範囲内で数々の変形が可能である。例えば、上記の実施形態において、記憶部２に記憶されている各ＤＢ２１〜２４は、必ずしも１つのコンピュータ装置に備えられているものである必要はなく、ネットワーク上に分散配置されているものであってもよい。同様に、演算部３の各部３１〜３４も、複数のコンピュータ装置によって実現されるものであってもよい。
【００５７】
【発明の効果】
以上説明したように、本発明によれば、製品の製造に対する環境影響評価に好適な製品の情報管理技術を提供できる。
【図面の簡単な説明】
【図１】図１は、本発明の一実施形態が適用された環境影響評価装置の概略図である。
【図２】図２は、部品情報ＤＢ２１の登録内容例を説明するための図である。
【図３】図３は、工程情報ＤＢ２２の登録内容例を説明するための図である。
【図４】図４は、雛形工程情報ＤＢ２３の登録内容例を説明するための図である。
【図５】図５は、環境影響評価情報ＤＢ２４の登録内容例を説明するための図である。
【図６】図６は、本発明の一実施形態が適用された環境影響評価装置のハードウエア構成例を示す図である。
【図７】図７は、本実施形態の環境影響評価装置の動作を説明するための図である。
【図８】図８は、入出力部１を介して表示装置に表示される構成表の一例を示した図である。
【図９】図９は、図７のＳ３００５での処理（工程情報受付処理）のフローを示す図である。
【図１０】図１０は、入出力部１を介して表示装置に表示される工程情報受付画面の一例を示した図である。
【図１１】図１１は、図７のＳ３０１３での処理（環境影響評価処理）のフローを示す図である。
【符号の説明】
１…入出力部、２・・・記憶部、３…演算部、２１・・・部品情報ＤＢ、２２・・・工程情報ＤＢ、２３・・・雛形工程情報ＤＢ、２４・・・環境影響評価情報ＤＢ、３１・・・部品情報取込部、３２・・・工程情報受付部、３３・・・構成表作成部、３４・・・環境影響評価処理部
【図１】
2004265012.tif 000003
【図２】
2004265012.tif 000004
【図３】
2004265012.tif 000005
【図４】
2004265012.tif 000006
【図５】
2004265012.tif 000007
【図６】
2004265012.tif 000008
【図７】
2004265012.tif 000009
【図８】
2004265012.tif 000010
【図９】
2004265012.tif 000011
【図１０】
2004265012.tif 000012
【図１１】
2004265012.tif 000013